(57)【要約】【課題】室内に設けられている下地壁に対して簡単に表側壁を取り付けることができる室内壁構造および室内壁構造の施工方法を提供する。【解決手段】室内壁構造５０は、室内の下地壁５１に取り付けられる表側壁５２を構成する上下に分割される表側壁部として、第１表側壁部１および第２表側壁部２を備えており、上記第１表側壁部１の下部側が、上記下地壁５１の下部近傍の床面４上に固定された壁受け部材３で支持されるとともに、上記第１表側壁部１の上部側の裏面に設けられた第１固定部１２が上記下地壁５１に固定され、上記第２表側壁部２の下部側が、上記第１表側壁部１の上部側で支持されるとともに、上記第２表側壁部２の上部側の裏面に設けられた第２固定部２３が上記下地壁５１に固定される。【選択図】図３
2020051118.tif 000002
【特許請求の範囲】
【請求項１】
室内の下地壁に取り付けられる表側壁を構成する上下に複数に分割された表側壁部として、少なくとも第１表側壁部および第２表側壁部を備えており、
上記第１表側壁部の下部側が、上記下地壁の下部近傍の床面上に固定された壁受け部材で支持されるとともに、上記第１表側壁部の上部側の裏面に設けられた第１固定部が上記下地壁に固定され、
上記第２表側壁部の下部側が、上記第１表側壁部の上部側で支持されるとともに、上記第２表側壁部の上部側の裏面に設けられた第２固定部が上記下地壁に固定されることを特徴とする室内壁構造。
【請求項２】
請求項１に記載の室内壁構造において、上記第１表側壁部の上部と上記第１固定部との間に、上記第２表側壁部の下部側に設けられた下部下地が係合するとともに、上記第１表側壁部の上端面と上記第２表側壁部の下端面とが対面してジョイナーによって互いに連結され、上記第２表側壁部の下部側に対して面外方向の移動が規制されることを特徴とする室内壁構造。
【請求項３】
請求項１または請求項２に記載の室内壁構造において、上記第１表側壁部の下端面の途中箇所から裏面にかけて床側下部下地が設けられており、この床側下部下地が上記壁受け部材で支持されることを特徴とする室内壁構造。
【請求項４】
請求項１〜請求項３のいずれか１項に記載の室内壁構造において、上記第１表側壁部および上記第２表側壁部の両方または一方と上記下地壁との間に空間部が形成されることを特徴とする室内壁構造。
【請求項５】
請求項４に記載の室内壁構造において、上記第１表側壁部および上記第２表側壁部の両方または一方に、上記空間部に張り出す厚肉部が、上記表側壁に配置される部材の固定位置に合わせた配置で設けられることを特徴とする室内壁構造。
【請求項６】
請求項４または請求項５に記載の室内壁構造において、上記第１表側壁部および上記第２表側壁部の両方または一方に、上記空間部に通じる開口部が、上記表側壁に配置される部材の固定位置に合わせた配置で設けられることを特徴とする室内壁構造。
【請求項７】
請求項４〜請求項６のいずれか１項に記載の室内壁構造において、上記第１表側壁部および上記第２表側壁部の両方または一方に、上記空間部に通じる換気口が形成されていることを特徴とする室内壁構造。
【請求項８】
室内の下地壁に取り付けられる表側壁を構成する上下に複数に分割された表側壁部として、少なくとも第１表側壁部および第２表側壁部を用い、
上記第１表側壁部の下部側を、上記下地壁の下部近傍の床面上に固定された壁受け部材で支持する工程と、上記第１表側壁部の上部側の裏面に設けられた第１固定部を、上記下地壁に固定する工程と、
上記第２表側壁部の下部側を、上記第１表側壁部の上部側で支持する工程と、上記第２表側壁部の上部側の裏面に設けられた第２固定部を、上記下地壁に固定する工程と、を含むことを特徴とする室内壁構造の施工方法。
【発明の詳細な説明】
【技術分野】
【０００１】
この発明は、室内壁構造および室内壁構造の施工方法に関する。
【背景技術】
【０００２】
特許文献１には、トイレ室に設置される壁パネルにおいて、電灯、足元灯、手洗器、化粧鏡、手摺、タオル掛け、ペーパーホルダー等のアクセサリー部材を予め取り付けた状態でアッセンブル化して施工現場に運ぶことが開示されている。
【０００３】
また、特許文献２には、乾式パネル工法で組み立てられるトイレルームユニットにおいて、壁パネルを腰下の腰下壁パネルと腰上の腰上壁パネルとの２分割構造にし、腰下壁パネルを腰上壁パネルよりも耐水性の高い材質で形成したトイレルームユニットが開示されている。
【先行技術文献】
【特許文献】
【０００４】
【特許文献１】実開平７−３２０４２号公報
【特許文献２】特開平６−７３８１３号公報
【発明の概要】
【発明が解決しようとする課題】
【０００５】
しかしながら、上記従来の構造は、室内に設けられている下地壁に対して簡単に表側壁を取り付けることができる構造ではなかった。
【０００６】
この発明は、室内に設けられている下地壁に対して簡単に表側壁を取り付けることができる室内壁構造および室内壁構造の施工方法を提供する。
【課題を解決するための手段】
【０００７】
この発明の室内壁構造は、上記の課題を解決するために、室内の下地壁に取り付けられる表側壁を構成する上下に複数に分割された表側壁部として、少なくとも第１表側壁部および第２表側壁部を備えており、
上記第１表側壁部の下部側が、上記下地壁の下部近傍の床面上に固定された壁受け部材で支持されるとともに、上記第１表側壁部の上部側の裏面に設けられた第１固定部が上記下地壁に固定され、
上記第２表側壁部の下部側が、上記第１表側壁部の上部側で支持されるとともに、上記第２表側壁部の上部側の裏面に設けられた第２固定部が上記下地壁に固定されることを特徴とする。
【０００８】
上記の構成であれば、上記第１表側壁部を、それ自体で規定の位置に取り付けることは要求されず、取り付けが簡単な上記壁受け部材を規定の位置に取り付けることで、上記第１表側壁部を規定の位置に簡単に位置決め固定することができる。そして、上記第２表側壁部についても、それ自体で規定の位置に取り付けることは要求されず、規定位置に固定した上記第１表側壁部で位置合わせされるので、規定位置に簡単に取り付けることができる。
【０００９】
上記第１表側壁部の上部と上記第１固定部との間に、上記第２表側壁部の下部側に設けられた下部下地が係合するとともに、上記第１表側壁部の上端面と上記第２表側壁部の下端面とが対面してジョイナーによって互いに連結され、上記第２表側壁部の下部側に対して面外方向の移動を規制してもよい。これにより、複雑な構造とならずに、上記第２表側壁部の下部側に対して面外方向の移動を規制できる。
【００１０】
上記第１表側壁部の下端面の途中箇所から裏面にかけて床側下部下地が設けられており、この床側下部下地が上記壁受け部材で支持されてもよい。これにより、上記壁受け部材を上記第１表側壁部の下部側で目立たたせないようにできる。
【００１１】
上記第１表側壁部および上記第２表側壁部の両方または一方と上記下地壁との間に空間部が形成されてもよい。これによれば、上記空間部を利用して配線等を配置することができる。
【００１２】
上記第１表側壁部および上記第２表側壁部の両方または一方に、上記空間部に張り出す厚肉部が、上記表側壁に配置される部材の固定位置に合わせた配置で設けられてもよい。これにより、荷重がかかり易い手摺等をビス等で簡単に上記厚肉部に固定できる。
【００１３】
上記第１表側壁部および上記第２表側壁部の両方または一方に、上記空間部に通じる開口部が、上記表側壁に配置される部材の固定位置に合わせた配置で設けられてもよい。これにより、例えば、上記開口部から部屋側に配線を引き出して、リモートコントローラー等に簡単に接続することができる。
【００１４】
上記第１表側壁部および上記第２表側壁部の両方または一方に、上記空間部に通じる換気口が形成されてもよい。これにより、上記換気口および上記空間部を利用して、例えば、部屋から天井裏に通じる換気路を形成することができる。
【００１５】
また、この発明の室内壁構造の施工方法は、室内の下地壁に取り付けられる表側壁を構成する上下に複数に分割された表側壁部として、少なくとも第１表側壁部および第２表側壁部を用い、
上記第１表側壁部の下部側を、上記下地壁の下部近傍の床面上に固定された壁受け部材で支持する工程と、上記第１表側壁部の上部側の裏面に設けられた第１固定部を、上記下地壁に固定する工程と、
上記第２表側壁部の下部側を、上記第１表側壁部の上部側で支持する工程と、上記第２表側壁部の上部側の裏面に設けられた第２固定部を、上記下地壁に固定する工程と、を含むことを特徴とする。
【発明の効果】
【００１６】
本発明であれば、室内の下地壁に対して簡単に表側壁を取り付けることができるという効果を奏する。
【図面の簡単な説明】
【００１７】
【図１】この実施形態の室内壁構造を示した平面図と正面図と側面図である。
【図２】この実施形態の室内壁構造を示した概略の斜視図である。
【図３】この実施形態の室内壁構造を示した概略の断面図である。
【発明を実施するための形態】
【００１８】
以下、この発明の一態様に係る実施形態を添付図面に基づいて説明する。図１に示すように、この実施形態の室内壁構造５０は、室内に設けられている界壁等の下地壁５１に、表側壁５２が取り付けられる構造である。この例では、室内壁構造５０は、介護施設のトイレ室の壁として用いられる。上記表側壁５２は、一例として、上下に２分割される第１表側壁部１と第２表側壁部２とを備える。第１表側壁部１および第２表側壁部２は、分割状態で工場から出荷され、建築現場で表側壁５２となるように組み合わされる。また、一例として、第１表側壁部１および第２表側壁部２には、下地壁５１に対する固定用の下地材が取り付けられており、また、手摺等の部材は取り付けられない一方で、この部材の固定のための下穴等が形成されて出荷される。
【００１９】
第１表側壁部１は、図２および図３に示すように、壁受け部材３によって位置決め支持される。この壁受け部材３は、断面コ字形状を有しており、開口側を上方に向けて上記下地壁５１の下部近傍の床面４上に固定される。この固定は、上記開口側からビス３１を入れて床面４にねじ込むことで行う。
【００２０】
また、第１表側壁部１には、床側下部下地１１が固定されている。この床側下部下地１１は、第１表側壁部１の下端面の途中箇所から裏面にかけて位置している。また、上記床側下部下地１１は、鉛直部と水平部を有する略Ｌ字形状を有しており、上記鉛直部における室内側面を第１表側壁部１の裏面に当接させ、上記水平部における上面を第１表側壁部１の下端面に当接させている。また、上記水平部の高さは、上記壁受け部材３の高さと略同じとなっている。そして、上記床側下部下地１１は、当該床側下部下地１１の裏面側からねじ込まれたビス１１ａによって、第１表側壁部１の下部側に固定される。
【００２１】
また、第１表側壁部１の上部側の裏面には、第１固定部１２が固定されている。上記第１固定部１２は、立片部と垂下片部とこれらを繋ぐ水平片部を有する略Ｚ字状の鋼板からなり、上記立片部を上記下地壁５１側に位置させ、上記垂下片部を第１表側壁部１の裏面に位置させている。上記第１固定部１２は、上記垂下片部からねじ込んだビス１２ａによって、第１表側壁部１に固定される。
【００２２】
また、上記第１固定部１２における立片部が、ビス１２ｂによって、上記下地壁５１に固定される。上記第１固定部１２の水平片部は、第１表側壁部１の上端よりも下側に位置しており、第１表側壁部１の上部と上記立片部との間に、凹部が形成される。上記立片部の上端は、第１表側壁部１の上端よりも上側に位置する。また、第１表側壁部１の上端面には、弧状にホゾ穴１３が形成されている。
【００２３】
上記第２表側壁部２の下部側の裏面には、下部下地２１が固定されている。この下部下地２１の下端は、第２表側壁部２の下端よりも下方に突出している。この第２表側壁部２を上記第１表側壁部１上に配置するときに、上記下部下地２１の下部を上記第１表側壁部１における上記凹部に嵌めることができる。上記下部下地２１は、当該下部下地２１の裏面側からねじ込まれたビス２１ａによって、第２表側壁部２の下部に固定される。また、第２表側壁部２の下端面には、弧状にホゾ穴２２が形成されている。上記第１表側壁部１のホゾ穴１３にビスケットジョイナー５２ａを差し込んでおくと、上記第２表側壁部２を上記第１表側壁部１上に配置するときに、上記ビスケットジョイナー５２ａの上側を上記ホゾ穴２２に嵌めることができる。
【００２４】
すなわち、上記第１表側壁部１の上部と上記第１固定部１２との間の上記凹部に、上記第２表側壁部２の下部下地２１が係合するとともに、上記第１表側壁部１の上端面と上記第２表側壁部２の下端面とが対面して上記ビスケットジョイナー５２ａによって互いに連結され、上記第２表側壁部２の下部側に対して面外方向の移動が規制される。
【００２５】
上記第２表側壁部２の上部側の裏面には、第２固定部２３がビス２３ａによって固定されている。第２固定部２３の上部は、上記第２表側壁部２の本体の上端面よりも上に出ており、この上に出た箇所にねじ込まれたビス２３ｂによって、第２固定部が上記下地壁５１に固定される。上記第２固定部２３における上記第２表側壁部２の上端よりも上に出る部分の表側には、化粧板２４が貼られる。
【００２６】
上記第１表側壁部１および上記第２表側壁部２の両サイドは中央側よりも厚肉に形成されており、これら第１表側壁部１および第２表側壁部２の中央側と上記下地壁５１との間には、空間部５２ｂが形成される。上記下部下地２１は、左右に分割されており、隣り合う分割部が互いに離間し、第１表側壁部１側の空間部５２ｂと第２表側壁部２側の空間部５２ｂとが上記離間箇所で連通される。また、上記第２固定部２３も、左右に分割されており、隣り合う分割部が互いに離間し、第２表側壁部２側の空間部５２ｂと天井裏とが上記離間箇所で連通される。この離間箇所は化粧板２４で覆われる。
【００２７】
上記第１表側壁部１には、工場出荷段階で、上記空間部５２ｂ側に張り出す３個の厚肉部１４が設けられる。これら厚肉部１４は、上記第１表側壁部１に配置される部材であるＬ字状の手摺５２ｃの固定位置（ビス留め位置）に合わせて配置されている。また、工場出荷段階で、上記第１表側壁部１の上記厚肉部１４が配置される箇所には、下穴が形成されており、現場での手摺５２ｃの取り付け位置に間違いが生じないようにしている。
【００２８】
また、工場出荷段階で、上記第１表側壁部１には、上記空間部５２ｂに通じる１個または複数個の開口部１５が形成される。この開口部１５は、上記第１表側壁部１に配置される部材である便器用のリモートコントローラー５２ｄやナースコールボタン５２ｅの固定位置に合わせた配置（リモートコントローラー５２ｄ等で隠される位置）に形成される。また、上記第１表側壁部１の上記第１固定部１２には、１個または複数個の貫通孔１２ｃが形成されている。上記リモートコントローラー５２ｄやナースコールボタン５２ｅにおける図示しない配線等を、上記開口部１５、上記貫通孔１２ｃ、上記下部下地２１の上記離間箇所、上記第２固定部２３の上記離間箇所に通すことができる。また、上記第１表側壁部１には、上記空間部５２ｂに通じる換気口１６が形成されている。
【００２９】
上記の構成であれば、上記第１表側壁部１を、それ自体で規定の位置に取り付けることは要求されず、取り付けが簡単な上記壁受け部材３を規定の位置に取り付けることで、上記第１表側壁部１を規定の位置に簡単に位置決め固定することができる。そして、上記第２表側壁部２についても、それ自体で規定の位置に取り付けることは要求されず、規定位置に固定した上記第１表側壁部１で位置合わせされるので、規定位置に簡単に取り付けることができる。
【００３０】
また、この室内壁構造５０は、上記第１表側壁部１の上部と上記第１固定部１２との間の上記凹部に、上記第２表側壁部２の下部下地２１が係合するとともに、上記第１表側壁部１の上端面と上記第２表側壁部２の下端面とが対面して上記ビスケットジョイナー５２ａによって互いに連結され、上記第２表側壁部２の下部側に対して面外方向の移動が規制される。これにより、複雑な構造とならずに、上記第２表側壁部２の下部側に対して面外方向の移動を規制することができる。なお、上記表側壁５２は、上下に２分割配置されることに限らず、３以上に分割してもよい。この場合も、上記第２表側壁部２上に配置する第３の表側壁部も、ビスケットジョイナー等を用いて、その下部側に対して上記第２表側壁部２の上部側で面外方向の移動を規制できる。
【００３１】
また、この室内壁構造５０は、上記第１表側壁部１の下端面の途中箇所から裏面にかけて床側下部下地１１が設けられており、この床側下部下地１１が上記壁受け部材３で支持される。これにより、上記壁受け部材３を上記第１表側壁部１の下部側で目立たたせないようにできる。なお、壁受け部材３を凸形状とし、床側下部下地１１が凸形状の壁受け部材３に嵌るように凹形状に形成されてもよい。
【００３２】
また、この室内壁構造５０においては、上記第１表側壁部１に、上記空間部５２ｂに張り出す厚肉部１４が、当該第１表側壁部１に配置される部材である手摺５２ｃ等の固定位置に合わせた配置で設けられる。これにより、荷重がかかり易い手摺５２ｃ等を、現場において、ビス等で簡単に上記厚肉部１４に固定することができる。なお、上記第２表側壁部２に上記厚肉部１４が設けられてもよい。
【００３３】
また、この室内壁構造５０においては、上記第１表側壁部１に、上記空間部５２ｂに通じる開口部１５が、当該第１表側壁部１に配置されるリモートコントローラー５２ｄ等の固定位置に合わせた配置で設けられる。これにより、リモートコントローラー５２ｄ等の配線を上記開口部１５から空間部５２ｂに簡単に通すことができる。なお、上記第２表側壁部２に上記開口部１５が設けられてもよい。
【００３４】
また、この室内壁構造５０においては、上記第１表側壁部１に上記空間部５２ｂに通じる換気口１６が形成されている。これにより、上記換気口１６および上記空間部５２ｂを利用して、例えば、トイレ室から天井裏に通じる換気路を形成することができる。なお、上記第２表側壁部２に上記開口部１５が設けられてもよい。また、換気路を大きくするために、貫通孔１２ｃの数や上記離間箇所の数を増やしてもよい。
【００３５】
また、この室内壁構造５０の施工においては、室内の下地壁５１に取り付けられる表側壁５２を構成する上下に複数に分割された表側壁部として、少なくとも第１表側壁部１および第２表側壁部２を用い、
上記第１表側壁部１の下部側を、上記下地壁５１の下部近傍の床面４上に固定された壁受け部材３で支持する工程と、上記第１表側壁部１の上部側の裏面に設けられた第１固定部１２を、上記下地壁５１に固定する工程と、
上記第２表側壁部２の下部側を、上記第１表側壁部１の上部側で支持する工程と、上記第２表側壁部２の上部側の裏面に設けられた第２固定部２３を、上記下地壁５１に固定する工程と、を含む。これにより、上記壁受け部材３によって、上記第１表側壁部１を規定の位置に簡単に固定することができ、また、上記第２表側壁部２についても、規定位置に固定した上記第１表側壁部１で位置合わせされるので、規定位置に簡単に取り付けることができる。
【００３６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３７】
１      ：第１表側壁部
２      ：第２表側壁部
３      ：壁受け部材
４      ：床面
１１    ：床側下部下地
１１ａ  ：ビス
１２    ：第１固定部
１２ａ  ：ビス
１２ｂ  ：ビス
１２ｃ  ：貫通孔
１３    ：ホゾ穴
１４    ：厚肉部
１５    ：開口部
１６    ：換気口
２１    ：下部下地
２１ａ  ：ビス
２２    ：ホゾ穴
２３    ：第２固定部
２３ａ  ：ビス
２３ｂ  ：ビス
２４    ：化粧板
３１    ：ビス
５０    ：室内壁構造
５１    ：下地壁
５２    ：表側壁
５２ａ  ：ビスケットジョイナー
５２ｂ  ：空間部
５２ｃ  ：手摺
５２ｄ  ：リモートコントローラー
５２ｅ  ：ナースコールボタン
【図１】
2020051118.tif 000003
【図２】
2020051118.tif 000004
【図３】
2020051118.tif 000005